(57)【要約】【課題】ゴミ出しの必要な場合に限りユーザにゴミ出しの通知を行うことでユーザの利便性向上を図ることができる通知システムを提供する。【解決手段】建物には、ゴミを収容するゴミ収容部が設けられ、ゴミ収容部には、収容されたゴミの量を検知するゴミ量センサ２１〜２３が設けられている。コントローラ２０は、ゴミ収集日において、ゴミ量センサ２１〜２３により検知されたゴミの量が予め定められた所定量以上となっているか否かを判定し、判定の結果、ゴミの量が所定量以上となっている場合に、ユーザにゴミ出しを促すゴミ出し通知を行う。【選択図】図３
2020077261.tif 000002
【特許請求の範囲】
【請求項１】
建物において予め定められたゴミ収集日になると、その建物に住むユーザにゴミ出しを促すゴミ出し通知を行う通知システムであって、
ゴミを収容するゴミ収容部と、
そのゴミ収容部に収容されたゴミの量を検知するゴミ量検知手段と、
前記ゴミ収集日において、前記ゴミ量検知手段により検知されたゴミの量が予め定められた所定量以上となっているか否かを判定するゴミ量判定手段と、
そのゴミ量判定手段によりゴミの量が前記所定量以上となっていると判定された場合に、ユーザに前記ゴミ出し通知を行うゴミ出し通知手段と、
を備えることを特徴とする通知システム。
【請求項２】
前記建物においてはゴミの種類ごとに前記ゴミ収集日が定められており、
前記ゴミ収容部は、ゴミの種類ごとに複数設けられ、
前記ゴミ量検知手段は、前記各ゴミ収容部に収容されたゴミの量をそれぞれ検知するものであり、
前記ゴミ量判定手段は、前記各ゴミ収容部に収容されたゴミの種類ごとに、そのゴミの種類に応じた前記ゴミ収集日において、前記ゴミ量検知手段により検知された当該ゴミの量が前記所定量以上となっているか否かを判定するものであり、
前記ゴミ出し通知手段は、前記ゴミ量判定手段により当該ゴミの量が前記所定量以上となっていると判定された場合に、当該ゴミについてゴミ出しを促す前記ゴミ出し通知を行うことを特徴とする請求項１に記載の通知システム。
【請求項３】
前記ゴミ収集日の前日にユーザに前記ゴミ収容部へゴミを集めるよう事前通知を行う事前通知手段を備えることを特徴とする請求項１又は２に記載の通知システム。
【請求項４】
前記建物の出入口付近に設けられ、ユーザに通知を行うための通知部と、
前記出入口よりユーザが外出しようとしていることを判定する外出判定手段と、
を備え、
前記ゴミ出し通知手段は、前記外出判定手段によりユーザが外出しようとしていると判定された場合に、前記通知部に前記ゴミ出し通知を行わせることを特徴とする請求項１乃至３のいずれか一項に記載の通知システム。
【請求項５】
前記ゴミ出し通知手段によりユーザに前記ゴミ出し通知が行われた後、前記ゴミ量検知手段による検知結果に基づき、当該ユーザによりゴミ出しが行われたか否かを判定するゴミ出し判定手段を備え、
前記ゴミ出し通知手段は、前記ゴミ出し判定手段によりゴミ出しが行われていないと判定された場合には、前記外出判定手段によりユーザの外出が判定された際、前記ゴミ出し通知を再度行うことを特徴とする請求項４に記載の通知システム。
【請求項６】
前記ゴミ出し通知手段によりユーザに前記ゴミ出し通知が行われた後、前記ゴミ量検知手段による検知結果に基づき、当該ユーザによりゴミ出しが行われたか否かを判定するゴミ出し判定手段と、
そのゴミ出し判定手段によりゴミ出しが行われていないと判定された場合には、前記ゴミ量検知手段により検知されたゴミの量に基づき、前記所定量を変更する変更手段と、
を備えることを特徴とする請求項１乃至５のいずれか一項に記載の通知システム。
【請求項７】
前記ゴミ量検知手段の検知結果に基づいて、前記ゴミ収集日よりも前の日にゴミが前記ゴミ収容部から取り出されたか否かを判定するゴミ取出判定手段と、
そのゴミ取出判定手段によりゴミが前記ゴミ収容部から取り出されたと判定された場合に、前記所定量を小さくするよう変更する変更手段と、
を備えることを特徴とする請求項１乃至６のいずれか一項に記載の通知システム。
【請求項８】
前記ゴミ量検知手段の検知結果に基づいて、前記ゴミ収集日よりも前の日にゴミが前記ゴミ収容部から取り出されたか否かを判定するゴミ取出判定手段を備え、
前記ゴミ出し通知手段は、当該ゴミ収集日において前記ゴミ量判定手段によりゴミの量が前記所定量に達していないと判定された場合でも、前記ゴミ取出判定手段によりゴミが前記ゴミ収容部から取り出されていると判定されたときには、前記ゴミ出し通知を行うことを特徴とする請求項１乃至７のいずれか一項に記載の通知システム。
【発明の詳細な説明】
【技術分野】
【０００１】
本発明は、建物において予め定められたゴミ収集日になると、その建物に住むユーザにゴミ出しを促すゴミ出し通知を行う通知システムに関する。
【背景技術】
【０００２】
この種のシステムとして、特許文献１には、ゴミの収集日になった場合に、その旨をユーザ（居住者）に対して通知する通知システムが開示されている。この通知システムによれば、ユーザがゴミ収集日にゴミを出し忘れるのを防止することが可能となる。
【先行技術文献】
【特許文献】
【０００３】
【特許文献１】特開２０１８−８１３３９号公報
【発明の概要】
【発明が解決しようとする課題】
【０００４】
ところで、ゴミ収集日にゴミがそれほど溜まっていない場合には、ゴミ出しを必ずしも行う必要がない。しかしながら、上記特許文献１の通知システムでは、ゴミが溜まっているか溜まっていないかにかかわらず、ゴミ収集日になると一律にユーザに対してゴミ出しの通知が行われる。そのため、ゴミがそれほど溜まっていない場合にも、つまりゴミ出しを行う必要がない場合にも、ユーザはゴミ出しの通知を受け、ゴミの状況を確認するといった無駄な作業を行うことになってしまう。
【０００５】
本発明は、上記事情に鑑みてなされたものであり、ゴミ出しの必要な場合に限りユーザにゴミ出しの通知を行うことでユーザの利便性向上を図ることができる通知システムを提供することを主たる目的とするものである。
【課題を解決するための手段】
【０００６】
上記課題を解決すべく、第１の発明の通知システムは、建物において予め定められたゴミ収集日になると、その建物に住むユーザにゴミ出しを促すゴミ出し通知を行う通知システムであって、ゴミを収容するゴミ収容部と、そのゴミ収容部に収容されたゴミの量を検知するゴミ量検知手段と、前記ゴミ収集日において、前記ゴミ量検知手段により検知されたゴミの量が予め定められた所定量以上となっているか否かを判定するゴミ量判定手段と、そのゴミ量判定手段によりゴミの量が前記所定量以上となっていると判定された場合に、ユーザに前記ゴミ出し通知を行うゴミ出し通知手段と、を備えることを特徴とする。
【０００７】
本発明によれば、ゴミ収集日になると、ゴミ収容部に収容されているゴミの量が所定量以上となっているか否かが判定され、その判定の結果、ゴミの量が所定量以上となっている場合にユーザにゴミ出しを促すゴミ出し通知が行われる。この場合、ゴミ収容部にゴミがゴミ出しの必要な程度溜まっている場合に限り、ユーザにゴミ出し通知を行うことが可能となる。これにより、ゴミ収容部にゴミがそれほど溜まっていないにもかかわらずゴミ出し通知がされ、それによりユーザがゴミの状況を無駄に確認するといった手間が発生するのを回避することができる。したがって、かかる構成によれば、ゴミ出しが必要な場合に限りユーザにゴミ出しの通知を行うことで、ユーザの利便性向上を図ることができる。
【０００８】
第２の発明の通知システムは、第１の発明において、前記建物においてはゴミの種類ごとに前記ゴミ収集日が定められており、前記ゴミ収容部は、ゴミの種類ごとに複数設けられ、前記ゴミ量検知手段は、前記各ゴミ収容部に収容されたゴミの量をそれぞれ検知するものであり、前記ゴミ量判定手段は、前記各ゴミ収容部に収容されたゴミの種類ごとに、そのゴミの種類に応じた前記ゴミ収集日において、前記ゴミ量検知手段により検知された当該ゴミの量が前記所定量以上となっているか否かを判定するものであり、前記ゴミ出し通知手段は、前記ゴミ量判定手段により当該ゴミの量が前記所定量以上となっていると判定された場合に、当該ゴミについてゴミ出しを促す前記ゴミ出し通知を行うことを特徴とする。
【０００９】
本発明によれば、ゴミの種類ごとに、そのゴミの種類に応じたゴミ収集日において、当該ゴミの量が所定量以上となっているか否かが判定される。そして、当該ゴミの量が所定量以上となっている場合、つまりゴミ出しが必要な場合に、当該ゴミについてユーザにゴミ出しを促すゴミ出し通知が行われる。これにより、ゴミの種類ごとに、ゴミ出しの必要な場合に限りユーザにゴミ出し通知を行うことが可能となる。
【００１０】
第３の発明の通知システムは、第１又は第２の発明において、前記ゴミ収集日の前日にユーザに前記ゴミ収容部へゴミを集めるよう事前通知を行う事前通知手段を備えることを特徴とする。
【００１１】
本発明によれば、ゴミ収集日の前日にユーザにゴミ収容部へゴミを集めるよう通知が行われる。これにより、ゴミ収集日の前日に建物内のゴミをあらかじめゴミ収容部に集めておくことをユーザに促すことができる。そのため、ゴミ収集日の当日に急いでゴミをゴミ収容部に集めるといった作業が発生するのを回避することができる。
【００１２】
第４の発明の通知システムは、第１乃至第３のいずれかの発明において、前記建物の出入口付近に設けられ、ユーザに通知を行うための通知部と、前記出入口よりユーザが外出しようとしていることを判定する外出判定手段と、を備え、前記ゴミ出し通知手段は、前記外出判定手段によりユーザが外出しようとしていると判定された場合に、前記通知部に前記ゴミ出し通知を行わせることを特徴とする。
【００１３】
ところで、ゴミ出しは、ユーザが出勤や通学等で外出するついでに行われることが多い。その点本発明では、ユーザが外出するタイミングで、ゴミ出し通知が行われるため、ゴミ出しを行うユーザにとって適切なタイミングで通知を行うことが可能となる。これにより、ユーザの利便性向上をより図ることができる。
【００１４】
第５の発明の通知システムは、第４の発明において、前記ゴミ出し通知手段によりユーザに前記ゴミ出し通知が行われた後、前記ゴミ量検知手段による検知結果に基づき、当該ユーザによりゴミ出しが行われたか否かを判定するゴミ出し判定手段を備え、前記ゴミ出し通知手段は、前記ゴミ出し判定手段によりゴミ出しが行われていないと判定された場合には、前記外出判定手段によりユーザの外出が判定された際、前記ゴミ出し通知を再度行うことを特徴とする。
【００１５】
本発明によれば、ユーザに対してゴミ出し通知が行われた後、その通知に応じて当該ユーザによりゴミ出しが行われたか否かが判定される。そして、判定の結果、当該ユーザによりゴミ出しが行われていない場合には、他のユーザが外出するタイミングでゴミ出し通知が再度行われる。この場合、いずれかのユーザによりゴミ出しが行われるまで繰り返しゴミ出し通知が行われるため、ゴミの出し忘れを確実に防止することができる。
【００１６】
第６の発明の通知システムは、第１乃至第５のいずれかの発明において、前記ゴミ出し通知手段によりユーザに前記ゴミ出し通知が行われた後、前記ゴミ量検知手段による検知結果に基づき、当該ユーザによりゴミ出しが行われたか否かを判定するゴミ出し判定手段と、そのゴミ出し判定手段によりゴミ出しが行われていないと判定された場合には、前記ゴミ量検知手段により検知されたゴミの量に基づき、前記所定量を変更する変更手段と、を備えることを特徴とする。
【００１７】
ところで、ユーザに対してゴミ出し通知が行われたにもかかわらずゴミ出しが行われていない場合には、そのユーザがゴミ出しを行う必要がないと判断した可能性がある。すなわち、ゴミ収容部に収容されているゴミの量であれば、まだゴミ出しを行う必要がないと判断した可能性がある。そこで本発明では、この点に着目し、ゴミ出し通知が行われたにもかかわらずユーザによりゴミ出しが行われていない場合には、ゴミ収容部に収容されているゴミの量に基づき、ゴミ出し通知を行うか否かの判定基準となる所定量を変更するようにしている。この場合、例えばゴミ収容部に収容されているゴミの量と同じ量に所定量を変更することが考えられる。かかる構成によれば、ユーザの感覚に合わせて所定量が自ずと変更されるため、ユーザに合ったゴミ出し通知を行うことができる。
【００１８】
第７の発明の通知システムは、第１乃至第６のいずれかの発明において、前記ゴミ量検知手段の検知結果に基づいて、前記ゴミ収集日よりも前の日にゴミが前記ゴミ収容部から取り出されたか否かを判定するゴミ取出判定手段と、そのゴミ取出判定手段によりゴミが前記ゴミ収容部から取り出されたと判定された場合に、前記所定量を小さくするよう変更する変更手段と、を備えることを特徴とする。
【００１９】
ところで、ゴミ収集日よりも前の日にゴミがゴミ収容部に（例えば満タンに）溜まってしまった場合には、その溜まったゴミをゴミ収容部から（例えばゴミ袋ごと）取り出して別の場所に保管等することが考えられる。そこで本発明では、この点に鑑み、ゴミ収集日よりも前の日にゴミがゴミ収容部から取り出された場合には、ゴミが当初の想定よりも早くゴミ収容部に溜まったものとみなし、所定量を小さくすることとしている。これにより、ゴミ収集日になる前にゴミがゴミ収容部に溜まってしまうのを抑制することができる。
【００２０】
第８の発明の通知システムは、第１乃至第７のいずれかの発明において、前記ゴミ量検知手段の検知結果に基づいて、前記ゴミ収集日よりも前の日にゴミが前記ゴミ収容部から取り出されたか否かを判定するゴミ取出判定手段を備え、前記ゴミ出し通知手段は、当該ゴミ収集日において前記ゴミ量判定手段によりゴミの量が前記所定量に達していないと判定された場合でも、前記ゴミ取出判定手段によりゴミが前記ゴミ収容部から取り出されていると判定されたときには、前記ゴミ出し通知を行うことを特徴とする。
【００２１】
ゴミ収集日よりも前の日にゴミがゴミ収容部に（例えば満タンに）溜まった場合、その溜まったゴミをゴミ収容部から取り出して、ゴミ収集日になるまで一時的に別の場所に保管しておく（つまり仮置きしておく）ことが考えられる。ここで、このような場合には、ゴミ収集日になった際、ゴミ収容部にほとんどゴミが収容されていないことが想定され、そのため、仮置きしているゴミがあるにもかかわらず、ユーザにゴミ出し通知が行われないことが想定される。
【００２２】
そこで、本発明では、こうした点に鑑み、ゴミ収集日よりも前の日にゴミがゴミ収容部から取り出された場合には、ゴミ収集日においてゴミ収容部に収容されているゴミの量が所定量に達していないときでも、ゴミ出し通知を行うこととしている。これにより、ゴミ収容部から取り出して仮置きしているゴミがある場合に、その仮置きしているゴミを出し忘れてしまうのを防止することができる。
【図面の簡単な説明】
【００２３】
【図１】建物を示す概略図。
【図２】ゴミ収容部を示す斜視図。
【図３】通知システムの電気的構成を示す図。
【図４】当日通知処理の流れを示すフローチャート。
【発明を実施するための形態】
【００２４】
以下に、本発明を具体化した一実施の形態について図面を参照しつつ説明する。図１は建物を示す概略図である。図２はゴミ収容部を示す斜視図である。
【００２５】
図１に示すように、住宅等の建物１０には、出入口としての玄関口１１が設けられている。この玄関口１１を通じて建物１０への出入りが可能となっている。玄関口１１には、玄関ドア１２が設けられている。その玄関ドア１２により玄関口１１が開閉される。また、玄関ドア１２には施錠部（図示略）が設けられている。その施錠部が操作されることで玄関ドア１２が施解錠されるようになっている。
【００２６】
建物１０の屋外側には、ゴミを収容可能なゴミ収容部１５〜１７が設けられている。本建物１０では、このゴミ収容部１５〜１７により建物１０内で出たゴミを屋外にて保管することが可能となっている。図２に示すように、ゴミ収容部１５〜１７は、建物１０の外壁に沿って複数（具体的には３つ）並べて設けられている。これら各ゴミ収容部１５〜１７は、例えば樹脂製のボックス（いわゆるゴミ箱）からなる。
【００２７】
各ゴミ収容部１５〜１７は収容されるゴミの種類に応じて分けられている。各ゴミ収容部１５〜１７のうち、ゴミ収容部１５は第１ゴミを収容するもので、ゴミ収容部１６は第２ゴミを収容するもので、ゴミ収容部１７は第３ゴミを収容するものとなっている。例えば、第１ゴミは紙や生ごみ等の燃えるごみとなっており、第２ゴミはプラスチックゴミとなっており、第３ゴミは不燃ごみとなっている。各ゴミ収容部１５〜１７にはそれぞれゴミの種類に応じたゴミ袋がセットされ、そのセットされたゴミ袋の中にゴミが入れられるようになっている。
【００２８】
本建物１０では、ゴミの種類ごとにゴミの収集日があらかじめ決められている。ゴミ収集日になると、ユーザ（具体的には建物１０の居住者）はその収集日にゴミ出しの対象となっているゴミをゴミ収容部１５〜１７から（例えばゴミ袋ごと）取り出し、所定のゴミ置き場へと持ち運ぶ（ゴミ出しする）ものとなっている。
【００２９】
ここで、本建物１０には、ゴミの収集日に合わせてユーザにゴミ出しに関する通知を行う通知システムが設けられている。以下、その通知システムについて説明する。
【００３０】
各ゴミ収容部１５〜１７にはそれぞれゴミ量センサ２１〜２３が設けられている。ゴミ量センサ２１は、ゴミ収容部１５の底部に設けられ、ゴミ収容部１５に収容されている第１ゴミの重量を検知するものである。また、ゴミ量センサ２２は、ゴミ収容部１６の底部に設けられ、ゴミ収容部１６に収容されている第２ゴミの重量を検知するものである。また、ゴミ量センサ２３は、ゴミ収容部１７の底部に設けられ、ゴミ収容部１７に収容されている第３ゴミの重量を検知するものである。なお、各ゴミ量センサ２１〜２３がそれぞれゴミ量検知手段に相当する。
【００３１】
ちなみに、本実施形態では、ゴミ量センサ２１〜２３として、ゴミの重量を検知する重量センサを用いたが、これに代えて、ゴミの容積量（体積量）を検知する容積量センサを用いてもよい。
【００３２】
図１に示すように、建物１０には、玄関ドア１２が屋内側から解錠（解錠操作）されたことを検知する解錠センサ２４が設けられている。解錠センサ２４は、例えば玄関ドア１２に設けられている。ユーザが玄関口１１より屋外に出る際には、屋内側から玄関ドア１２を解錠操作してから出ることになるため、この場合、解錠センサ２４により解錠検知がされることになる。
【００３３】
建物１０には、ユーザにゴミ出しに関する通知を行うための通知装置２６が設けられている。通知装置２６は、玄関口１１付近に設けられ、例えば玄関の壁に取り付けられている。通知装置２６は、スピーカを有して構成され、音声によりユーザにゴミ出しに関する通知を行う。なお、通知装置２６は、玄関ドア１２に内蔵されていてもよい。また、通知装置２６が通知部に相当する。
【００３４】
続いて、通知システムの電気的構成について図３を用いながら説明する。図３は通知システムの電気的構成を示す図である。
【００３５】
図３に示すように、コントローラ２０は、ゴミ出しに関する通知処理を行うもので、ＣＰＵ等を有する周知のマイクロコンピュータを備えて構成されている。コントローラ２０は、記憶部２０ａと通信部２０ｂとを有しており、例えば建物１０の壁面に設けられている。
【００３６】
記憶部２０ａには、建物１０におけるゴミの収集日が記憶されている。記憶部２０ａには、ゴミの種類ごとにゴミ収集日の情報が記憶され、すなわち第１ゴミ、第２ゴミ及び第３ゴミのゴミ収集日がそれぞれ記憶されている。これら各種ゴミのゴミ収集日はいずれも定期的に（例えば１週間おきに）訪れるものとなっている。また、各種ゴミのゴミ収集日は互いに異なる日に設定されている。なお、記憶部２０ａに記憶されるゴミ収集日の情報は、月日の情報（例えば１０月１７日、１０月２４日、・・・）であってもよいし、曜日の情報（例えば毎週木曜日）であってもよい。
【００３７】
通信部２０ｂは、ユーザの携帯する携帯機器２８と通信可能（無線通信可能）とされている。携帯機器２８は、例えば携帯電話やスマートフォンからなる。
【００３８】
コントローラ２０には、各ゴミ量センサ２１〜２３と解錠センサ２４とが接続されている。コントローラ２０には、これら各センサ２１〜２４から逐次検知結果が入力される。
【００３９】
コントローラ２０には、通知装置２６が接続されている。コントローラ２０は、記憶部２０ａに記憶されているゴミ収集日の情報と、各センサ２１〜２４からの検知結果とに基づいて、通知装置２６に通知信号を出力し、同装置２６にゴミ出しに関する通知を行わせる。
【００４０】
次に、コントローラ２０により実行される通知処理の内容について説明する。通知処理は、ゴミの種類ごとに、そのゴミの種類に応じたゴミ収集日に合わせて行われるものとなっている。通知処理には、ゴミ収集日の前日に行われる前日通知処理と、ゴミ収集日の当日に行われる当日通知処理とがある。
【００４１】
コントローラ２０は、第１ゴミのゴミ収集日の前日になると第１ゴミの前日通知処理を実行し、第１ゴミのゴミ収集日の当日になると第１ゴミの当日通知処理を実行する。この場合、コントローラ２０は、記憶部２０ａに記憶されているゴミ収集日の情報に基づき、第１ゴミのゴミ収集日の前日になったか否かを判定し、ゴミ収集日の前日になった場合に第１ゴミの前日通知処理を実行する。また、コントローラ２０は、記憶部２０ａに記憶されているゴミ収集日の情報に基づき、第１ゴミのゴミ収集日の当日になったか否かを判定し、ゴミ収集日の当日になった場合に第１ゴミの当日通知処理を実行する。また、これと同様に、コントローラ２０は、第２ゴミ及び第３ゴミについても、ゴミ収集日の前日になると前日通知処理を実行し、ゴミ収集日の当日になると当日通知処理を実行する。
【００４２】
続いて、第１ゴミ〜第３ゴミの前日通知処理及び当日通知処理について説明する。第１ゴミ〜第３ゴミの前日通知処理はいずれも処理の流れが同じとなっており、第１ゴミ〜第３ゴミの当日通知処理はいずれも処理の流れが同じとなっている。そこで、以下では、第１ゴミの前日通知処理及び当日通知処理について説明を行い、第２ゴミ及び第３ゴミの前日通知処理及び当日通知処理についてはその説明を割愛することとする。
【００４３】
まず、第１ゴミの前日通知処理について説明する。前日通知処理は、例えば、ゴミ収集日の前日における所定時刻（例えば１５：００）になった場合に開始される。前日通知処理では、コントローラ２０が、ユーザの携帯する携帯機器２８に第１ゴミをゴミ収容部１５に集めるよう事前通知を行う（事前通知手段に相当）。この事前通知は、例えばメールで行われたり、音声情報で行われたりする。これにより、ゴミ収集日の前日にユーザに建物１０内のゴミをゴミ収容部１５に集めるよう促すことができる。
【００４４】
続いて、第１ゴミの当日通知処理について説明を行う。当日通知処理は、例えばゴミ収集日の当日における所定時刻（例えば６：００）になった場合に開始される。以下、この当日通知処理について図４に示すフローチャートに基づき説明する。
【００４５】
図４に示すように、まずステップＳ１１では、ゴミ量センサ２１からの検知結果に基づき、ゴミ収容部１５に収容されている第１ゴミの重量が予め定められた所定量α以上となっているか否かを判定する（ゴミ量判定手段に相当）。ここで、所定量αは、第１ゴミがゴミ出しの必要な程度に溜まっているか否かを判定するための指標値となっている。このため、本ステップでは、ゴミ収容部１５に収容されている第１ゴミの重量が所定量α以上となっているか否かの判定をもって、第１ゴミについてゴミ出しが必要か否かを判定するものとなっている。第１ゴミの重量が所定量αに達していない場合には、ゴミ出しの必要性がないとして本処理を終了する。一方、第１ゴミの重量が所定量α以上となっている場合には、ゴミ出しの必要性があるとしてステップＳ１２に進む。
【００４６】
ステップＳ１２では、解錠センサ２４からの検知結果に基づいて、ユーザが玄関口１１より外出しようとしているか否かを判定する。ユーザが外出しようとしていることが判定（検出）された場合にはステップＳ１３に進む。一方、ユーザが外出しようとしていることが判定されなかった場合には、ユーザが外出しようとしていることが判定されるまで繰り返しステップＳ１３の処理を繰り返す。
【００４７】
ステップＳ１３では、ゴミ出し通知処理を実行する。この処理では、通知装置２６に通知信号を出力することで、同装置２６によりユーザにゴミ出しを促すゴミ出し通知を行わせる。この場合、ゴミ出し対象とされているゴミが第１ゴミであるため、その第１ゴミのゴミ出しを促す通知を通知装置２６に行わせる。例えば、「今日は、第１ゴミの収集日です」等の通知を行わせる。これにより、ユーザは外出するタイミングで今日がゴミ出しの日であることを知ることができる。このため、ユーザは外出するついでに第１ゴミのゴミ出しを行うことが可能となる。
【００４８】
続くステップＳ１４では、ゴミ量センサ２１からの検知結果に基づいて、ゴミ収容部１５に収容されている第１ゴミについてユーザによりゴミ出しが行われたか否かを判定する（ゴミ出し判定手段に相当）。つまり、ステップＳ１３のゴミ出し通知に応じてユーザによりゴミ出しが行われたか否か判定する。ゴミ出しが行われている場合には本処理を終了する。一方、ゴミ出しが行われていない場合にはステップＳ１２に戻り、再度、ステップＳ１２〜Ｓ１４の処理を行う。このように、本処理では、ユーザによりゴミ出しが行われるまで繰り返しステップＳ１２〜Ｓ１４の処理が行われるようになっている。
【００４９】
なお、本処理は、予め定められた終了時刻になると、ゴミ出しが行われているか否かにかかわらず終了される。この終了時刻は、例えばゴミ置き場においてゴミ収集車によりゴミが収集されるゴミ収集の時刻に設定されている。
【００５０】
以上が、第１ゴミの当日通知処理についての説明である。第２ゴミ及び第３ゴミの当日通知処理については、上述したように、第１ゴミの当日通知処理と同様の流れとなっている。したがって、第２ゴミ及び第３ゴミの当日通知処理においても、ステップＳ１１と同様の判定処理が行われる。すなわち、第２ゴミの当日通知処理では、ゴミ量センサ２２からの検知結果に基づき、ゴミ収容部１６に収容されている第２ゴミの重量が予め定められた所定量β以上となっているか否かが判定され、第３ゴミの当日通知処理では、ゴミ量センサ２３からの検知結果に基づき、ゴミ収容部１７に収容されている第３ゴミの重量が予め定められた所定量γ以上となっているか否かが判定される。
【００５１】
ここで、第１ゴミ〜第３ゴミの各所定量α，β、γは、ゴミの種類に応じて個別に設定されている。例えば、第１ゴミ（燃えるゴミ）の場合、生ごみ等、腐敗するゴミが含まれているため、所定量αを小さく設定することが考えられる。この場合、第１ゴミがゴミ収容部１５に少しだけ溜まっている場合でもゴミ出し通知が行われるようになるため、第１ゴミが腐敗して悪臭が発生する前にユーザにゴミ出しを行わせることが可能となる。また、第２ゴミ（プラスチックゴミ）の場合、腐敗することがないため、所定量βを大きく設定することが考えられる。この場合、第２ゴミがゴミ収容部１６にある程度の量（例えばゴミ収容部１６の容量の８割程度）溜まってからゴミ出し通知が行われるようになるため、ゴミ袋の節約等の効果を得ることが可能となる。
【００５２】
以上、詳述した本実施形態の構成によれば、以下の優れた効果が得られる。
【００５３】
ゴミ収集日になると、ゴミ収容部１５〜１７に収容されているゴミの量（重量）が所定量以上となっているか否かが判定され、その判定の結果、ゴミの量が所定量以上となっている場合にユーザにゴミ出しを促すゴミ出し通知が行われる。この場合、ゴミ収容部１５〜１７にゴミがゴミ出しの必要な程度溜まっている場合に限り、ユーザにゴミ出し通知を行うことが可能となる。これにより、ゴミ収容部１５〜１７にゴミがそれほど溜まっていないにもかかわらずゴミ出し通知がされ、それによりユーザがゴミの状況を無駄に確認するといった手間が発生するのを回避することができる。したがって、かかる構成によれば、ゴミ出しが必要な場合に限りユーザにゴミ出しの通知を行うことで、ユーザの利便性向上を図ることができる。
【００５４】
また、ゴミ収容部１５〜１７に収容されているゴミの量にかかわらず、一律にユーザにゴミ出しの通知が行われる場合には、ユーザのゴミ出し通知に対する意識が低下するおそれがある。その場合、ユーザにゴミ出し通知が行われたにもかかわらず、そのユーザによりゴミ出しが行われない場合が想定される。その点、ゴミの量が所定量以上となっている場合にユーザにゴミ出し通知が行われるようにした上述の構成では、ゴミ出し通知に対する意識の低下を防止することができ、その結果、ユーザにゴミ出しを確実に行わせることが可能となる。
【００５５】
ゴミの種類ごとに、そのゴミの種類に応じたゴミ収集日において、当該ゴミの量（重量）が所定量以上となっているか否かが判定される。そして、当該ゴミの量が所定量以上となっている場合、つまりゴミ出しが必要な場合に、当該ゴミについてユーザにゴミ出しを促すゴミ出し通知が行われる。これにより、ゴミの種類ごとに、ゴミ出しの必要な場合に限りユーザにゴミ出し通知を行うことが可能となる。
【００５６】
ゴミ収集日の前日にユーザにゴミ収容部１５〜１７へゴミを集めるよう通知が行われる。これにより、ゴミ収集日の前日に建物１０内のゴミをあらかじめゴミ収容部１５〜１７に集めておくことをユーザに促すことができる。そのため、ゴミ収集日の当日に急いでゴミをゴミ収容部１５〜１７に集めるといった作業が発生するのを回避することができる。
【００５７】
ところで、ゴミ出しは、ユーザが出勤や通学等で外出するついでに行われることが多い。その点、上記の実施形態では、ユーザが外出しようとしていることが判定された場合に、つまりユーザが外出するタイミングで、ゴミ出し通知が行われる。そのため、ゴミ出しを行うユーザにとって適切なタイミングで通知を行うことが可能となる。これにより、ユーザの利便性向上をより図ることができる。
【００５８】
ユーザに対してゴミ出し通知が行われた後、その通知に応じて当該ユーザによりゴミ出しが行われたか否かが判定される。そして、判定の結果、当該ユーザによりゴミ出しが行われていない場合には、他のユーザが外出するタイミングでゴミ出し通知が再度行われる。この場合、いずれかのユーザによりゴミ出しが行われるまで繰り返しゴミ出し通知が行われるため、ゴミの出し忘れを確実に防止することができる。
【００５９】
当日通知処理（図４）は、ゴミ収集日の当日における所定の開始時刻に開始され、所定の終了時刻になると終了される。この場合、ゴミ出し通知処理は、ゴミ収集日において、所定の時間帯（つまり所定の開始時刻から所定の終了時刻までの時間帯）にのみ実施される。ここで、所定の時間帯は、例えばゴミ置き場（ゴミ収集場所）にゴミ出しが可能な時間帯（例えば７：００〜９：００）に設定されている。この場合、所定の時間帯が経過した後はユーザにゴミ出し通知が行われないため、所定時間が経過してゴミ出しを行えないにもかかわらず、ユーザにゴミ出し通知がされ、それによりユーザがゴミ出し作業を無駄に行ってしまうといった手間が発生するのを回避できる。
【００６０】
本発明は上記実施形態に限らず、例えば次のように実施されてもよい。
【００６１】
（１）上記実施形態では、ユーザが外出しようとしている場合に通知装置２６によりゴミ出し通知を行うようにしたが、ゴミ出し通知を行うタイミングは必ずしもこれに限らない。例えば、ゴミ収集日において所定の時刻になった場合にゴミ出し通知を行うようにしてもよい。
【００６２】
また、上記実施形態では、通知装置２６を建物１０における玄関口１１付近に設けたが、通知装置２６を玄関口１１付近以外の場所に設けてもよい。例えば、ユーザ（居住者）が集まるリビング等の居室に設けることが考えられる。また、ゴミ出し通知は必ずしも通知装置２６に行わせる必要はなく、例えばユーザの携帯する携帯機器２８にゴミ出し通知を行わせるようにしてもよい。
【００６３】
また、ゴミ出し通知は必ずしも音声により行う必要はなく、例えばディスプレイ等にゴミ出しを促すメッセージを表示することにより行ってもよい。
【００６４】
（２）上記実施形態では、解錠センサ２４からの検知結果に基づいて、ユーザが玄関口１１を通じて屋外に外出しようとしていることを判定したが、ユーザの外出を判定するための構成は必ずしもこれに限らない。例えば、玄関ドア１２の開閉を検知するドア開閉センサを設け、その開閉センサの検知結果に基づいて、ユーザの外出を判定するようにしてもよい。
【００６５】
（３）上記実施形態では、ゴミ収容部１５〜１７を建物１０の屋外側に設けたが、ゴミ収容部１５〜１７を建物１０内に設けてもよい。
【００６６】
（４）例えば、第１ゴミ〜第３ゴミの所定量α，β，γをユーザによる操作部の操作に基づいて可変設定できるようにしてもよい。ゴミの発生量は季節等によって異なる場合が考えられる。その点、上記のようにすれば、季節等に応じて所定量α，β、γを適宜変更することが可能となる。
【００６７】
（５）ユーザにより建物１０が設けられた地域が操作部を用いて入力（設定）されると、コントローラ２０が、その入力された地域に基づき当該地域におけるゴミ収集日を外部（例えば行政機関の情報端末）から取得し、その取得したゴミ収集日の情報を記憶部２０ａに記憶するようにしてもよい。この場合、地域名を入力するだけでゴミ収集日の情報を記憶部２０ａに記憶（登録）することができるため、ゴミ収集日を手作業で登録する場合と比べ手間を省ける。
【００６８】
（６）ところで、ユーザに対してゴミ出し通知（ステップＳ１３）が行われたにもかかわらず、ユーザによりゴミ出しが行われていない場合には、そのユーザがゴミ出しを行う必要がないと判断した可能性がある。すなわち、ゴミ収容部１５に収容されているゴミの量であれば、まだゴミ出しを行う必要がないと判断した可能性がある。そこで、このような点に鑑み、ユーザによりゴミ出しが行われていないと判定された場合（ステップＳ１４でＮＯ判定された場合）に、コントローラ２０により、ゴミ量センサ２１により検知された第１ゴミの重量に基づき、ゴミ出し通知を行うか否かの判定基準となる所定量α（ステップＳ１１の所定量α）を変更するようにしてもよい（変更手段に相当）。この場合、例えばゴミ量センサ２１により検知された第１ゴミの重量と同じ量、すなわちゴミ収容部１５に収容されている第１ゴミの重量と同じ量に所定量αを変更することが考えられる。かかる構成によれば、ユーザの感覚に合わせて所定量αが自ずと変更されるため、ユーザに合ったゴミ出し通知を行うことができる。
【００６９】
（７）ところで、ゴミ収集日よりも前の日にゴミ（第１ゴミ）がゴミ収容部１５に満タンに溜まってしまった場合には、その溜まったゴミをゴミ収容部１５から（例えばゴミ袋ごと）取り出して別の場所で保管等することが考えられる。そこで、このような点に鑑み、コントローラ２０により、以下のような制御を行ってもよい。
【００７０】
すなわち、ゴミ量センサ２１の検知結果に基づき、ゴミ収集日よりも前の日に第１ゴミがゴミ収容部１５から取り出されたか否かを判定する（ゴミ取出判定手段に相当）。この場合、例えばゴミ量センサ２１により検知された第１ゴミの重量がゼロになった場合に第１ゴミがゴミ収容部１５から取り出されたと判定することが考えられる。そして、判定の結果、ゴミ収集日よりも前の日に第１ゴミがゴミ収容部１５から取り出された場合には、第１ゴミが当初の想定よりも早くゴミ収容部１５に溜まったものとみなし、所定量αを小さくするよう変更する（変更手段に相当）。かかる構成によれば、ゴミ収集日になる前に第１ゴミがゴミ収容部１５に溜まってしまうのを抑制することが可能となる。
【００７１】
（８）ところで、ゴミ収集日よりも前の日にゴミ（第１ゴミ）がゴミ収容部１５に満タンに溜まってしまった場合には、その溜まったゴミをゴミ収容部１５から（例えばゴミ袋ごと）取り出して、ゴミ収集日になるまで一時的に別の場所に保管しておく（つまり仮置きしておく）ことが考えられる。ここで、このような場合には、ゴミ収集日になった際、ゴミ収容部１５にほとんどゴミが収容されていないことが想定され、そのため、仮置きしているゴミがあるにもかかわらず、ユーザにゴミ出し通知が行われないことが想定される。そこで、このような点に鑑み、コントローラ２０により、以下のような制御を行ってもよい。
【００７２】
すなわち、ゴミ量センサ２１の検知結果に基づき、ゴミ収集日よりも前の日に第１ゴミがゴミ収容部１５から取り出されたか否かを判定する（ゴミ取出判定手段に相当）。この場合、例えばゴミ量センサ２１により検知された第１ゴミの重量がゼロになった場合に第１ゴミがゴミ収容部１５から取り出されたと判定することが考えられる。そして、ゴミ収集日よりも前の日に第１ゴミがゴミ収容部１５から取り出された場合には、ゴミ収集日においてゴミ収容部１５に収容されている第１ゴミの量が所定量αに達していないと判定された（ステップＳ１１においてＮＯ判定された）ときでも、ゴミ出し通知を行うようにする。かかる構成によれば、ゴミ収容部１５から取り出して仮置きしているゴミがある場合に、その仮置きしているゴミを出し忘れてしまうのを防止することができる。
【符号の説明】
【００７３】
１０…建物、１１…出入口としての玄関口、１５〜１７…ゴミ収容部、２０…コントローラ、２１〜２３…ゴミ量検知手段としてのゴミ量センサ、２６…通知部としての通知装置。
【図１】
2020077261.tif 000003
【図２】
2020077261.tif 000004
【図３】
2020077261.tif 000005
【図４】
2020077261.tif 000006